(57)【特許請求の範囲】
【請求項１】
歯牙切削用のインスツルメント、及び、該インスツルメントによる歯牙切削箇所を冷却する冷却水を供給する水回路を有し、歯牙切削治療中、歯牙切削箇所に前記水回路を通して該歯牙切削箇所を冷却する機能を有する歯科治療装置において、前記冷却水を前記インスツルメントに送給するためのポンプと、該ポンプの回転を検出する回転センサとを有し、前記ポンプの回転数が基準設定値以下に低下したときに警報を発生する警報手段を有するとともに、前記ポンプの回転数が前記基準設定値以下に低下したときに前記インスツルメントの駆動を停止することを特徴とする請求項１に記載の歯科治療装置。
【請求項２】
前記ポンプを回転させるモータと、該モータの逆起電力を検出するセンサとを有し、該逆起電力の大きさによって、前記ポンプの回転数を検出することを特徴とする請求項１に記載の歯科治療装置。
【発明の詳細な説明】
【技術分野】
【０００１】
本発明は、歯科治療装置、より詳細には、歯牙（骨も含む）切削箇所に注水し、該歯牙切削箇所を冷却する機能を有する歯科治療装置において、歯牙切削用のインスツルメントを駆動したときに、前記冷却水が前記歯牙切削箇所に十分に供給されているか否かを検知し、不足している場合に、警報を発し、或いは、前記インスツルメントの駆動を停止するようにした歯科治療装置に関する。
【背景技術】
【０００２】
図２は、本発明が適用される水回路を備えた歯科治療装置の一例を説明するための概略構成図で、該歯科治療装置は、治療椅子１，ワークテーブル２，スピットン３，給排水ボックス４，インスツルメントホルダ５，フットスイッチ６，アシスタントインスツルメントホルダ７（例えば、バキューム，シリンジ，排唾管等を有する）等から成り、インスツルメントホルダ５には、歯科治療において使用する種々のインスツルメント８（例えば、エアータービン，マイクロエンジン（モータ），ファイル，スケーラ，シリンジ等）が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にして治療を行う。
【０００３】
歯科治療においては、主として、エアータービン、マイクロエンジン（モータ）、超音波治療器、骨切削機器等、歯牙（骨も含む）を切削する機能を有するインスツルメント（ハンドピース）を使用して治療することが行われているが、これらインスツルメントは、切削箇所を冷却するための注水機能を有し、歯牙治療中、切削箇所に注水して歯牙を冷却する必要がある。
【０００４】
しかし、インスツルメントに冷却水を供給する水回路の詰り、水回路の漏れ、注水システムの故障等により、注水が確実に行わなければ、歯牙切削具の刀部と歯牙治療（切削）部位との接触面を確実に冷却できない可能性があり、確実な冷却ができなければ、治療部位の発熱による細胞の壊死や火傷等による損傷が起こる可能性がある。
【発明の開示】
【発明が解決しようとする課題】
【０００５】
上述のように、歯牙切削を伴う歯科治療においては、従来より、歯牙切削箇所を冷却しながら歯牙切削治療を行っているが、冷却不良による事故等は報告されていない。しかし、歯牙切削箇所に冷却水を供給する水回路の詰り、水回路の漏れ（給水チューブの破損）、注水システム（ポンプ系統）の故障等により、冷却水の放射が十分に行われない場合が考えられるが、術者が治療に専心している場合、そのことに気付かずに歯牙（骨）切削治療を続行してしまい、思いも掛けない治療ミスを犯してしまう恐れがある。
【０００６】
本発明は、上述のごとき実情に鑑みてなされたもので、特に、歯牙切削治療中、歯牙切削箇所に冷却水が十分に供給されているか否かを、注水システムを監視することによって検知し、冷却水の不足に伴う不慮の損傷を防止することを目的としてなされたものである。
【課題を解決するための手段】
【０００７】
上述目的を達成するために、請求項１の発明は、歯牙切削用のインスツルメント、及び、該インスツルメントによる歯牙切削箇所を冷却する冷却水を供給する水回路を有し、歯牙切削治療中、歯牙切削箇所に前記水回路を通して該歯牙切削箇所を冷却する機能を有する歯科治療装置において、前記冷却水を前記インスツルメントに送給するためのポンプと、該ポンプの回転を検出する回転センサとを有し、前記ポンプの回転数が基準設定値以下に低下したときに警報を発生する警報手段を有するとともに、前記ポンプの回転数が前記基準設定値以下に低下したときに前記インスツルメントの駆動を停止することを特徴としたものである。
【０００９】
請求項２の発明は、請求項１の発明において、前記ポンプを回転させるモータと、該モータの逆起電力を検出するセンサとを有し、該逆起電力の大きさによって、前記ポンプの回転数を検出することを特徴としたものである。
【発明の効果】
【００１０】
本発明によると、歯牙（骨）切削箇所に冷却水を注水し、該歯牙切削箇所を冷却する機能を有する歯科治療装置において、前記冷却水を送給するシステムにおけるポンプ又は該ポンプを駆動するモータの回転数が基準設定値以下であるときに警報を発し、或いは、歯牙切削中のインスツルメント（ハンドピース）の駆動を停止するようにしたので、術者の不注意による（冷却水不注入による）、治療（切削）部位の過熱による壊死や損傷の恐れを未然に防ぐことができる。
【図面の簡単な説明】
【００１１】
【図１】本発明による歯科治療装置の実施例を示す要部概略構成図である。
【図２】本発明が適用される水回路を備えた歯科治療装置の一例を説明するための概略構成図である。
【発明を実施するための最良の形態】
【００１２】
図１（Ａ）乃至図１（Ｃ）は、それぞれ発明の実施例を説明するための要部概略構成図で、図中、１０は、歯科治療用インスツルメント８に冷却水を送給する水回路、２０は制御器部で、制御器部２０には水回路１０からの冷却水をインスツルメント８に送給するためのポンプ２１を有し、該ポンプ２１は、モータ２２によって回転駆動されるようになっている。歯科治療において、術者が必要とされる歯牙切削用のインスツルメント８をインスツルメントホルダより取り出し、該インスツルメントの駆動操作を行うと、該インスツルメントが回転駆動され、同時に、モータ２２が駆動されて、該モータに連結されているポンプ２１が駆動され、同時に該インスツルメントの水回路に設けられている遮断弁２６が開かれて、水回路１０を通して送給される冷却水がインスツルメント８の先端より放出され、治療箇所を冷却しながら歯牙（又は骨）の切削治療等が行われる。
【００１３】
歯牙（又は骨）の切削治療においては、前述のように、歯牙切削箇所に冷却水を注水して、切削箇所の過熱を防止することが行われているが、インスツルメント８を駆動し、モータ２２を駆動しても、モータ２２とポンプ２１との連結部２３での何らかの故障によりポンプ２１が回転しなかったり、或いは、モータ２２の電気の回線の故障等によりモータ２２が回転しなかったりして、治療部位に冷却水を送給することができない事態が生じる恐れがある。
【００１４】
本発明は、上述の事態に対処するために提案されたもので、図１（Ａ）に示す実施例は、ポンプ２１を駆動するモータ２２と該ポンプ２１との連結機構２３に何らかの故障が発生し、ポンプ２１よりの送水が不良となった場合の対処例を示す図である。図１（Ａ）に示す実施例においては、冷却水を送給するポンプ２１の回転軸に、該ポンプ２１の回転を電気的に検出するセンサ（例えば、ロータリーエンコーダ）２４を設け、前述のようにして、術者がインスツルメント８を駆動操作した時に、該センサ２４に電気出力が現れない場合、或いは、該センサの出力電圧が設定基準値以下の場合は、制御器部２０、例えば、ワークテーブルに設けられているスピーカ３１、ディスプレイ３２等により、冷却水が注水されていることを術者及びアシスタントに警告し、或いは、インスツルメント８に設けられている、例えば、赤色ランプ３３を点滅し、術者に冷却水が注水されていないことを知らせ、更には、インスツルメント８を停止する。
【００１５】
図１（Ｂ）に示す実施例は、ポンプ２１を駆動するモータ２２に何らかの故障が生じ、術者がインスツルメント駆動操作をしたのにも関わらず、モータ２２が回転せず、ポンプ２１よりの送水が不良となった場合の対処例を示す図である。図１（Ｂ）に示す実施例においては、モータに例えば逆起電力検出手段２５を設け、術者がインスツルメント８を駆動する操作をした時に、該モータ２２の駆動回路に何らかの故障（例えば、断線）が生じて、該モータ２２に駆動電流が流れない場合（逆起電力が発生しない場合）に、当然に、ポンプ２１も回転しないものとして、スピーカ３１、ディスプレイ３２等により冷却水が供給されていないことを術者及びアシスタントに警告し、更には、インスツルメント８に設けられている、例えば、赤色ランプ３３を点滅して、冷却水が供給されていないことを術者に知らせ、更には、インスツルメント８の駆動を停止する。
【００１６】
図３（Ｃ）に示した実施例は、図１（Ａ）及び図１（Ｂ）に示した両実施例を備えた場合の実施例を示す図で、この実施例の場合、センサ２４、２５のいずれが作動した場合においても、警報手段３１、３２、３３が作動し、より確実に冷却水の供給不良を術者及びアシスタントに知らせることができる。
【符号の説明】
【００１７】
１０…冷却水回路、２０…制御器部、２１…冷却水送給ポンプ、２２…ポンプ駆動モータ、２３…連結軸、２４，２５…センサ、２６…遮断弁、３１，３２，３３…警報手段。
【図１】
0005773497.tif 000002
【図２】
0005773497.tif 000003